(57)【要約】【解決手段】本発明は流体用のパッケージ（１）を提供する。パッケージ（１）は、開口部（２６）が設けられた容器本体（２）と、凹んだ流出路（１２）が設けられたフランジ状エッジ（５）と、を備える。フランジ状エッジ（５）内に、線状の弱い境界または折れた境界（１５）が設けられる。分離部分（１６）は、フランジ状エッジ（５）から分離可能であるかまたは分離されている。パッケージ（１）は、分離部分（１６）を含みフランジ状エッジ（５）の少なくとも一部に封止するように接着する封止ホイル（１０）をさらに備える。封止ホイル（１０）は流出路（１７）を覆う。流出路（１７）は、弱い境界または折れた境界（１５）の分離部分（１６）から遠い側にその全体が設けられる。封止ホイル（１０）は、弱い境界または折れた境界の内側に広がる剥離領域（２３）を有する。剥離領域（２３）内には、流出路（１２）の少なくとも閉じた端部（１４）が位置している。剥離領域は、弱い境界または折れた境界（１５）とは反対側に位置し流出路（１２）と交差する境界線によって境界される。【選択図】図１
2014513023.tif 000002
【特許請求の範囲】
【請求項１】
流体用のパッケージであって、
内部容積を有するとともに開口部が設けられた容器本体を備え、
前記パッケージは前記開口部の近くにフランジ状エッジを備え、該フランジ状エッジの中に凹んだ流出路が形成され、該流出路は、一端で前記開口部を介して前記容器本体の内部と連通するとともに反対側の端部は閉じられており、
前記フランジ状エッジに線状の弱い境界または折れた境界が設けられ、該弱い境界または折れた境界の外側に位置する前記フランジ状エッジの分離部分を前記容器から分離できるようにされており、
前記パッケージは、前記分離部分を含む前記フランジ状エッジの少なくとも一部に封止するように接着する封止ホイルをさらに備え、該封止ホイルは前記流出路を覆い、該流出路は、前記弱い境界または折れた境界の前記分離部分から遠い側にその全体が設けられており、
前記封止ホイルは、前記弱い境界または折れた境界の内側に広がる剥離領域を有し、該剥離領域内に前記流出路の少なくとも閉じた端部が配置され、
前記剥離領域は、前記弱い境界または折れた境界とは反対側に位置し前記流出路を横切る境界線によって境界され、
前記封止ホイルは前記剥離領域の位置で前記フランジ状エッジに接着し、この接着は剥離可能なタイプであり、
前記剥離領域の剥離可能な接着は、前記弱い境界または折れた境界に少なくとも部分的に隣接しており、
前記封止ホイルは、少なくとも前記境界線の位置で、永久的な接着によって前記フランジ状エッジに接続される
ことを特徴とするパッケージ。
【請求項２】
前記剥離領域の外側での前記封止ホイルと前記フランジ状エッジとの接着が、前記剥離領域の外側の前記領域の少なくとも一部にわたり永久タイプであることを特徴とする請求項１に記載のパッケージ。
【請求項３】
前記容器本体がポリプロピレン製であることを特徴とする請求項１または２に記載のパッケージ。
【請求項４】
前記容器本体は継ぎ目のない円周立壁を備え、少なくとも部分的に前記パッケージを空にする目的で該パッケージの内部容積を減少させるために、少なくともパッケージが開いた状態で、前記円周立壁に加えられる軸方向圧力の影響により該円周立壁が変形することを特徴とする請求項１ないし３のいずれかに記載のパッケージ。
【請求項５】
前記分離部分が前記フランジ状エッジから完全に分離され、前記線状の折れた境界を形成することを特徴とする請求項１ないし４のいずれかに記載のパッケージ。
【請求項６】
前記分離部分は、前記弱い境界または折れた境界の反対側に凹形に延びる円周を有することを特徴とする請求項１ないし５のいずれかに記載のパッケージ。
【請求項７】
前記分離部分は円周を有し、前記分離部分は、前記弱い境界とは反対側に位置する円周の一部の近くに、突出するかみ合い縁を有することを特徴とする請求項１ないし６のいずれかに記載のパッケージ。
【請求項８】
前記境界線は、前記弱い境界または折れた境界の線状形状とほぼ平行に延びることを特徴とする請求項１ないし７のいずれかに記載のパッケージ。
【請求項９】
前記流出路は、少なくともその閉じた端部において、前記弱い境界または折れた境界の線状形状と直交する向きであることを特徴とする請求項１ないし８のいずれかに記載のパッケージ。
【請求項１０】
前記フランジ状エッジは、前記パッケージの他の部分に対して突出する部分を有し、この突出部は、前記分離部分を有するとともに、前記容器本体の内部から前記流出路が延びる方向に広がることを特徴とする請求項１ないし９のいずれかに記載のパッケージ。
【請求項１１】
前記フランジ状エッジの少なくとも一部に前記剥離領域が存在せず、前記剥離領域は、前記封止ホイルと前記フランジ状エッジの間の接着面によって囲まれていることを特徴とする請求項１ないし１０のいずれかに記載のパッケージ。
【請求項１２】
前記剥離領域の外側での前記封止ホイルと前記フランジ状エッジとの接着は、前記剥離領域の外側の上記領域の少なくとも一部にわたり、前記剥離領域内での前記封止ホイルと前記フランジ状エッジとの接着よりも強力であり、この接着は好ましくは永久タイプであることを特徴とする請求項１ないし１０のいずれかに記載のパッケージ。
【請求項１３】
コードン（cordon）シールを用いることによって前記永久的な接着が達成されることを特徴とする請求項１２に記載のパッケージ。
【請求項１４】
前記弱い境界または折れた境界の線状形状が直線であることを特徴とする請求項１ないし１３のいずれかに記載のパッケージ。
【請求項１５】
前記フランジ状エッジに二つの流出路が形成されることを特徴とする請求項１ないし１４のいずれかに記載のパッケージ。
【請求項１６】
前記容器の内部が二つの完全に分離した区画に分割されており、前記二つの流出路のそれぞれが、その端部の一つで前記二つの区画のうちの一方に連通することを特徴とする請求項１５に記載のパッケージ。
【請求項１７】
前記容器が一つの分離部分のみを有することを特徴とする請求項１５または１６に記載のパッケージ。
【請求項１８】
前記容器本体が手で圧縮可能であることを特徴とする請求項１ないし１７のいずれかに記載のパッケージ。
【請求項１９】
請求項１ないし１８のいずれかに記載のパッケージの使用。
【請求項２０】
前記剥離面を分離したときに前記封止ホイルが損傷しないことを特徴とする、請求項１９に記載のパッケージの使用。
【発明の詳細な説明】
【技術分野】
【０００１】
本発明は、流体用のパッケージに関する。本発明は、特に、コーヒークリーム、ケチャップ、マヨネーズまたは他のソースなどの液状の食品用のパッケージに関するが、これに限定されない。この種のパッケージの内部容積は、通常、数ミリリットルから数センチリットルの流体を収容するのに十分である。この種のパッケージは、通常、使い捨てタイプの大量生産品であり、一人分の包みとして一回のみ使用されるのが普通である。本発明に係るパッケージは、原理上は、例えば接着剤、塗料、歯磨き粉、シャンプー、液体石けんまたはクリームなどの、食品以外の製品タイプを包装するためにも使用することができる。
【背景技術】
【０００２】
この種のパッケージの設計には、多数の側面を考慮すべきである。その一つとして、最低限可能な原価でパッケージを製造するという理解可能な目的がある。原材料の使用は関係するが、例えば、パッケージを自動的に製造することができる装置の速度および費用も関係する。一般に、既存の好ましくは標準的な装置で新たなタイプのパッケージを製造することができれば、高価なおよび／または新規の製造装置および／または組み合わせて用いられる工具に大規模の投資をする必要がないので、いずれにしても有利である。
【０００３】
これに加えて、パッケージが機能的である必要である。使用の容易さに加えて、パッケージを開くときのユーザの直観が、その点において重要な側面である。通常、既存のパッケージは、これらの側面において高い得点とならず、例えばパッケージの開封時にパッケージの液状内容物が予期せず流れ出たり、またはパッケージの開封後に、パッケージから流れ出る内容物を消費者が十分に制御できなかったりする。その結果、消費者は、将来的には異なるタイプのパッケージを選択する傾向がある。
【発明の概要】
【発明が解決しようとする課題】
【０００４】
本発明の目的は、比較的低い原価で製造可能であり、加えて非常に使い勝手のよいパッケージを提供することにある。この目的を達成するために、本発明は、請求項１で規定されるパッケージを提供する。
【課題を解決するための手段】
【０００５】
本発明に係る流体用パッケージは、  内部容積を有するとともに開口部が設けられた容器本体を備える。パッケージは開口部の近くにフランジ状エッジを備え、フランジ状エッジの中に凹んだ流出路が形成され、流出路は、一端で開口部を介して容器本体の内部と連通するとともに反対側の端部は閉じられている。フランジ状エッジに線状の弱い境界または折れた境界が設けられ、弱い境界または折れた境界の外側に位置するフランジ状エッジの分離部分を容器から分離できるようにされている。パッケージは、分離部分を含むフランジ状エッジの少なくとも一部に封止するように接着する封止ホイルをさらに備え、封止ホイルは流出路を覆い、流出路は、弱い境界または折れた境界の分離部分から遠い側にその全体が設けられている。封止ホイルは、弱い境界または折れた境界の内側に広がる剥離領域を有し、剥離領域内に流出路の少なくとも閉じた端部が配置される。剥離領域は、弱い境界または折れた境界とは反対側に位置し流出路を横切る境界線によって境界される。境界線の位置で、永久的な接着によって封止ホイルがフランジ状エッジに接続される。
【０００６】
剥離領域の位置で、封止ホイルがフランジ状エッジに接着し、この接着は剥離可能なタイプである。
【０００７】
剥離領域は、弱い境界または折れた境界に少なくとも部分的に隣接している。
【０００８】
分離部分と容器の他の部分とが一体的に接続されることも考えられる。この場合、弱い境界がその一体的な接続を破ることを可能にする。しかしながら、分離部分が容器の他の部分から完全に分離されること、すなわち、分離部分が封止ホイルのみに接続されており、折れた境界を形成することも考えられる。
【０００９】
本発明に係るパッケージの上記態様により、特にパッケージが開いた状態で非常に直感的に取り扱うことができるパッケージを提供することができ、これによりパッケージが非常に使い易くなる。実際は、弱い境界が設けられている場合、容器から分離部分を最初に分離することによってパッケージを開封することができる。この分離の間、封止ホイルが依然として凹んだ流出路を覆っているので、パッケージは事実上閉じられたままである。分離部分の分離時に予期せず中身がこぼれるリスクが最小になる。折れた境界が設けられている場合、折れた境界に少なくとも部分的に隣接して剥離領域があり、折れた境界の位置が接着されているため、意図せず開封してしまうリスクなしに、分離部分を容易に移動することができる。
【００１０】
いずれの場合も、弱い境界または折れた境界の反対側に位置する境界線の方向に、弱い境界または折れた境界から境界線まで、封止ホイルとともに分離部分を容器から離して移動させて、フランジ状エッジから境界線まで封止ホイルを取り除き、少なくとも剥離領域内で封止ホイルを剥がすことによって、流出路の（少なくとも開始状態で）閉じた端部、ひいてはパッケージを簡単に開くことができる。その結果、上述の、流出路の最初に覆われていた端部にアクセス可能となり、流出路を通してパッケージの内容物を制御した状態でパッケージから出すことができる。さらに、例えばコーヒークリームカップである既存のパッケージの構成に対応するという点で、例えば既存の製造設備を用いてパッケージを製造することができるように、パッケージを構成する可能性が提供される。境界線の位置では、封止ホイルがフランジ状エッジに永久的な接着によって接続されている。このような境界線は、弱い境界によって画成される線には対応していない。したがって、封止ホイルが剥がれすぎること、すなわち、弱い境界から見て流出路を越えて封止ホイルが剥がれる（これは、流出路の使用によって達成される有利な計量特性の喪失につながりうる）ことを防止することができる。
【００１１】
容器本体はポリプロピレン製であると好ましく、また複数の素材の層を備えることが好ましい。
【００１２】
一実施形態では、容器本体は継ぎ目のない円周立壁を備え、少なくとも部分的にパッケージを空にする目的でパッケージの内部容積を減少させるために、少なくともパッケージが開いた状態で、円周立壁に加えられる軸方向圧力の影響により円周立壁が変形する。このようにして、正確な計量が可能になる。容器本体がポリプロピレン製である場合、変形後に、たとえあったとしても壁が跳ね返る傾向はほとんどない。そのため、初回の計量が全容量の一部のみであった後、２回目のまたはさらなる計量を迅速かつ正確に行うことができる。実際のところ、圧力を加えたときに、計量が直接的に可能になる。
【００１３】
特に、ポリプロピレン製の容器の場合、分離部分がフランジ状エッジから完全に分離され、線状の折れた境界を形成することが好ましい。実際のところ、ポリプロピレンは壊れにくく、そのため、弱い境界による開封はより困難である。これは、折れた境界を用いる方が好ましいという限度において、他の材料を用いても同様であることもある。
【００１４】
弱い境界の線状形状と平行に境界線が延びる場合、使用の容易さが増す。この場合、二つの平行な両辺を用いてフランジ状エッジからストリップ状の封止ホイルを切り離して、流出路の少なくとも閉じた端部を開放することができる。
【００１５】
少なくともその閉じた端部において、流出路が弱い境界の線状形状と直交する向きの場合、使用時に流出路が開く方向に流出路が向くという点で有利になる。
【００１６】
フランジ状エッジがパッケージの他の部分に対して突出する部分を有している場合は特に、パッケージの使用が簡単になる。突出部は分離部分を備え、容器本体の内側から流出路が延びる方向に広がる。突出部は、パッケージの開封に関与するべきパッケージの一部であると直感的にみなされる。
【００１７】
弱い境界の反対側に凹形に延びる円周を分離部分が有している場合、分離部分とのかみ合いが促される。上記の凹形部分では、例えば人差し指が適している。
【００１８】
分離部分が円周を有しており、弱い境界とは反対側に位置する円周の一部の近くに突出するかみ合い縁を分離部分が有している場合も、分離部分のかみ合いが促される。
【００１９】
フランジ状エッジの少なくとも一部に剥離領域が存在せず、封止ホイルとフランジ状エッジの間に接着面によって剥離領域が囲まれている場合は、さらに有利である。
【００２０】
封止ホイルの大きすぎる部分がフランジ状エッジから引きはがされるという状況を防止するために、剥離領域の外側での封止ホイルとフランジ状エッジとの接着が、剥離領域の外側の上記領域の少なくとも一部にわたり、剥離領域内での封止ホイルとフランジ状エッジとの接着よりも強力であると好ましい。この接着が永久タイプであるとさらに好ましい。
【００２１】
弱い境界は好ましくは直線であり、このため容器からの分離部分の分離が容易になる。弱い境界は、例えば弱い境界の位置でフランジ状エッジの材料を細くするか、または上記材料にミシン目を入れることによって実現できる。例えば分離部分を曲げて折り取ることによって、分離部分を分離することができる。
【００２２】
本発明は、フランジ状エッジ内に流出路が形成されるパッケージとともに非常に適切に使用することができる。この場合、容器の内部が二つの完全に分離した区画に分割され、二つの流出路のそれぞれが、その端部の一つで二つの区画のうちの一方と連通していてもよい。共に食されることが多い二つのソース用に分離された区画や、エポキシ接着剤用の二つの区画が、このような視点で考えられる。
【００２３】
容器が一つの分離部分のみを備える場合、上記一つの分離部分の分離と、その後の剥離領域の位置での封止ホイルの引きはがしによって、両方の流出路を開くことができる。
【００２４】
容器本体を手で圧縮することができる場合は特に、ユーザにとってパッケージの内容物の計量は容易である。
【００２５】
パッケージは、例えば小袋（sachet）として構成されてもよい。代替的に、パッケージの底につながる容器の立壁がアコーディオン状の構成を有していてもよい。または、容器の立壁が互いに重なるように配置された壁部分を備え、互いに対して旋回可能になっていてもよい。このような容器本体は、例えばオランダ特許出願ＮＬ２００６５１５に記載されており、その出願の内容が本明細書に援用されるとみなすことができる。一般に、本発明に係るパッケージの容器本体の形状は自由に選択できることに注意する。したがって、容器の形状は、上面図で見たときに円形、楕円形、正方形または長方形であってもよいし、例えば丸い角を有していてもよいし、容器の継ぎ目のない立壁が先細になっていてもよい。容器本体は、例えば比較的固いプラスチック材料で作られてもよいが、小袋状のパッケージの場合は、柔軟なホイル状の材料で作られてもよい。
【００２６】
上述した本発明に係る容器を使用する考えられる方法は、
少なくとも一つの流体で満たされた、本発明に係るパッケージを準備するステップと、
弱い境界の位置で、容器から分離部分を手で分離するステップと、
弱い境界から境界線まで、フランジ状エッジから封止ホイルの剥離領域を剥がすステップと、
を含む。
【００２７】
本発明の一態様によると、本発明は上述したパッケージの使用にも関連する。
【００２８】
剥離領域の分離時に封止ホイルが損傷を受けない場合、再封止が容易になり、加えて開封時にパッケージが一体のままとなるので、有利なこともある。
【００２９】
以下の図面を参照して、本発明に係るパッケージの考えられる実施形態の説明を用いて本発明をより詳細に説明するが、本発明の範囲を限定するものと解釈されるべきではない。
【図面の簡単な説明】
【００３０】
【図１】本発明に係るパッケージの考えられる実施形態の上面斜視図である。
【図２】図１のパッケージを逆さまにしたときの上面斜視図である。
【図３】容器のフランジ状エッジ上に様々な接着範囲が示されている、図１のパッケージの図である。
【図４】図３のパッケージを開いた状態の図である。
【図５】本発明に係るパッケージの別の考えられる実施形態の一部を開いた状態の図である。
【図６】本発明に係るパッケージのさらに別の考えられる実施形態の上面斜視図である。
【発明を実施するための形態】
【００３１】
図１は、本発明に係るパッケージ１を示す。使い捨てタイプのパッケージ１は、例えばコーヒークリーム用のパッケージである。パッケージ１は、ポリスチレンまたはポリプロピレンなどのプラスチック材料製の容器本体２を備える。容器本体２は、少なくとも実質的にたらい（tub）形であり、底３が丸みを帯びた部分を経由して立壁４に溶け込んでいる。容器本体２は、この場合は継ぎ目のない、径方向外側に延びるフランジ状エッジ５をさらに備えている。フランジ状エッジは、立壁４の上縁と結合する。容器本体２の主な形状および寸法は、コーヒークリーム用の既存の使い捨てパッケージのそれに対応しているので、既存の使い捨てパッケージの製造に使用されているものと少なくとも実質的に同一の製造手段を用いて、容器本体２、さらにパッケージ１の全体を製造することができる。
【００３２】
立壁４は、下壁部４ａと上壁部４ｂとで少なくとも実質的に構成されている。下壁部４ａと上壁部４ｂは、継ぎ目のない折り目６の位置でわずかに内向きの角度で互いに結合している。上壁部４ｂは斜向部７を備えている。斜向部７は、上壁部４ｂの周縁に沿って規則的なパターンで設けられる。上述のような壁部４ａ、４ｂの使用により、矢印８で示す軸方向に圧力が加えられたときに、容器本体２が圧縮される傾向がある。圧縮の結果、折り目６が内側に移動して、底３とフランジ状エッジ５との間の距離が減少する。この変形の間、パッケージ１の内容物（図示せず）が押し出される。これについては以下で明らかになる。底３と立壁４は容器本体２の内面９を画成する。内面９は、フランジ状エッジ５の下面に開いている。容器本体２としての容器本体の詳細な説明は、オランダ特許出願ＮＬ２００６５１５に記載されており、その内容は本明細書に援用されるとみなされるべきである。
【００３３】
パッケージ１は、開始状態（パッケージ１が液状物質で満たされ閉じられている状態）で容器本体２の開いた上側を完全に封止しフランジ状エッジ５の上面全体に接着している封止ホイル１０（図４も参照）をさらに備える。一実施形態（図示せず）では、同心の凹部がフランジ状エッジ５に設けられ、封止ホイルがいわゆるコードン（cordon：非常線）シールを形成するように接着されていてもよい。封止ホイルはプラスチック製またはアルミニウム製であってもよいし、少なくとも上記の材料を備えてもいてよい。封止ホイル１０の周縁はフランジ状エッジ５の周縁をたどる。図１−３で使用される封止ホイル１０は透明であるとみなすことができ、したがって上図では識別することができない。
【００３４】
フランジ状エッジ５の幅（言い換えると径方向の寸法）は、フランジ状エッジ５の周縁の大きい方の部分にわたり一定である。しかしながら、フランジ状エッジ５は突出部１１を有している。突出部１１の領域内では、フランジ状エッジが局所的にわずかに凹んでおり、フランジ状エッジ５内に流出路１２が形成されている。
【００３５】
開始状態では封止ホイル１０によって覆われている流出路１２は、径方向に延びる細長い形状を有している。容器本体２の内面９の方を向く流出路１２の端部１３は、内面９と開放連通している。流出路１２の位置で、より詳細にはその端部１３の位置で、立壁４内に開口部２６が残されている。流出路１２の端部１３とは反対側の端部１４は閉じている。
【００３６】
フランジ状エッジ５の突出部１１には、折り取り（break-off）エッジ１５として構成される弱い境界がさらに設けられるか、または折れた（broken）エッジとして構成される折れた境界が設けられる。折り取りエッジ１５の位置ではフランジ状エッジ５の材料が薄くなっており、折り取りエッジ１５を上向きに曲げることによって、折り取りエッジ１５の外側に位置するフランジ状エッジ５の分離部分１６を、容器本体２から折り取ることができる。折れたエッジでは、分離部分１６とフランジ状エッジ５の他の部分との間に直接的な接触は存在しない。折り取りエッジ１５と折れたエッジは直線であり、流出路１２の長手方向に対して横向きに延びる。分離部分１６の周縁は、折り取りエッジ１５または折れたエッジの反対側で凹んだ形状をしている。そのため、親指と中指で容器本体２を持つユーザが、指の一つ（通常は人差し指）で折り取りエッジ１５の周りで分離部分１６を容易に折り畳むことができる。分離部分１６に折り取りエッジ１５が設けられる場合、このようにして容器本体２から分離部分１６を分離することができる。この分離の間、封止ホイル１０は損傷を受けない。ユーザの（人差し）指による分離部分とのさらに良好なかみ合いを実現するために、分離部分１６の周縁の凹部の近くの底面側（特に図２を参照）に、かみ合い縁１７が設けられていてもよい。
【００３７】
図３は、フランジ状エッジ５の上側への封止ホイル１０の二つの異なるタイプの接着を、斜線部およびドット部で示している。斜線領域２１、２２では、接着は永久的な接着であり、パッケージ１の開封時に剥離しないようにされている。ドット領域２３では、フランジ状エッジ５と封止ホイル１０との間の接着は剥離可能な接着であり、パッケージ１の開封時に剥離するようにされている。領域２１は、分離部分１６の上面に関係する。領域２３はいわゆる剥離領域に関係し、容器本体２の内面９に向かう方向において、折り取りエッジ１５から、折り取りエッジ１５と平行かつ反対側に延びる直線境界線まで広がっている。上記境界線２４は、流出路１２の端部１３の近くで流出路１２と交差する。境界線は、永久接着範囲と剥離可能な接着範囲の移り変わりによって画成される。代替的に、例えば多数の整列したスポット接着部によって境界線が画成されてもよい。領域２１、２２内の永久接着と、領域２３内の剥離可能な接着は、当業者には既知である適切なタイプの接着剤によって実現することができる。領域２１、２２と領域２３の両方に適したタイプの接着剤は、熱溶融性の接着剤である。領域２１、２２における永久接着と領域２３における剥離可能な接着とに関して所望の特性を得るために、領域２１、２２と領域２３に対して異なるタイプの熱溶融性の接着剤が選択される。封止ホイル１０に接着剤が塗布され、その後、容器本体２のフランジ状エッジ５に封止ホイル１０が接着されることが好ましい。接着剤の選択は、容器本体２のフランジ状エッジ５の少なくとも上面の素材にも依存する。この素材は、例えばポリプロピレンまたはポリエチレンであってもよいし、ポリスチレンの可能性もある。
【００３８】
ユーザが折り取りエッジ１５の周りで分離部分１６を上方に折り曲げることで、図４に示すパッケージ１の開放状態が実現される。その結果、分離部分１６が容器本体２から切り離される一方、封止ホイル１０を介して分離部分１６と容器本体２との間の接続は存在し続ける。代替的な実施形態では、上述したように折れた境界が存在する点で、分離部分１６は容器本体から既に分離している。続いて、分離部分１６が剥離領域２３に沿って移動され、その結果、剥離領域２３における封止ホイル１０とフランジ状エッジ５との間の接着が剥がれるが、そのときまでパッケージは実際には開いていない。パッケージ１のこのような開封は、平均的なユーザがコーヒークリーム用の既存のカップの開封で既に慣れてる開封方法に本質的に対応している。なお、既存のカップは本発明の時点で既に広く使用されているが、例えば流出路は備えていない。したがって、ユーザは、パッケージ１を本能的に正しい方法で開くだろう。ユーザは片方の手でそれを行うことができる。つまり、親指と中指とで容器本体２をつまみ、人差し指で分離部分１６を折り曲げて流出路１２を越えて移動させて、剥離領域２３内の封止ホイル１０とフランジ状エッジとの間の接着を剥がし、パッケージ１を開封する。通常は、流出路１２はユーザから離れる方向を向いており、パッケージの液状内容物が予期せずユーザにこぼれるリスクが最小化される。分離部分１６の折り取りによってパッケージが自動的に開くことはないので、さらにリスクは小さくなる。
【００３９】
境界線２４を越えた封止ホイル１０とフランジ状エッジ５との間の接着は、その位置の接着が永久的であるため、損傷を受けない。そのため、流出路１２の端部１３は封止ホイル１０によって覆われたままとなり、開口部２６のサイズと比較して比較的小さい通路２５を利用することができる。通路２５を通して、容器本体２の内部３から、パッケージ１内に存在する液状物質が流れ出ることができる。通路２５のサイズに部分的に依存するが、重力の影響下でこれを行うことができる。流出路１２は下向きであるが、矢印８で示す方向に容器本体２を圧縮することが可能であり、多くの場合実行が容易であり、これにより通路２５を通してパッケージ１の液体内容物をパッケージ１から一定量流出させる。少なくとも部分的にパッケージ１を空にする目的でパッケージ１の内部容積を減少させるために、少なくとも容器が開いた状態で、立壁４に加えられる軸方向圧力８の影響により立壁４が変形可能であることが好ましい。このように構成される壁４の一実施形態が、例えばオランダ特許出願ＮＬ２００６５１５に記載されている。本発明者は、上記特許出願の少なくとも一部、特に変形可能な周壁４ａ、４ｂに関連する部分を、本特許出願に援用する権利を留保する。
【００４０】
有利な実施形態では、パッケージ１、または少なくとも容器本体２は、ポリプロピレンで作成される。この材料は、そのような変形が一旦行われると、変形を維持する傾向がある。すなわち、あらゆる弾性反発が最小になる。こうして、壁の圧縮時に変形が維持され、周期的な正確な計量が可能になる。
【００４１】
パッケージ１の内容物が完全に流出していない場合、事実上パッケージ１を再封止することも可能である。再封止は、図１および図３に示す位置に分離部分を戻すことによって行われるので、封止ホイル１０は、少なくともかなりの程度、流出路１２の全体を再び閉じる。必要に応じて、剥離後に容器本体２に封止ホイルを再びくっつけることができるタイプの接着剤を剥離可能部に用いるようにしてもよい。
【００４２】
パッケージが封止されたままである開始状態において、分離部分１６が容器本体２から意図せず離れてしまった場合（これは、例えば乱暴な運搬中に生じることがある）であっても、領域２３内で封止ホイル１０がフランジ状エッジ５に接着しているために、パッケージは事実上閉じられたままになる。この結果、流出路１２は覆われたまま、つまり閉じられたままになる。したがって、分離部分１６が離れてしまったという事実にもかかわらず、液体内容物はパッケージ１から流れ出ることができない。
【００４３】
図５は、図１−４に示したパッケージ１の変形例を示す。パッケージは二つの流出路１２２を備えている。二つの流出路はそれぞれ、その一端で容器本体の内面と連通している。本発明に係るパッケージのさらなる変形例では、パッケージの内側が二つの区画にさらに分割されており、一方の流出路１２２が二つの区画の一方と連通し、他方の流出路１２２が上部区画と連通するような構成も想定可能である。これについて詳しく述べると、それぞれが自身の流出路を有しており、これらの流出路がその後閉鎖端部を有している一つの流出路に合流するような、二つの区画を使用することもできる。このパッケージを開封すると、二つの区画内の液体の混合が流出路内で発生する。一つの流出路または二つの流出路を備えるこのようなタイプのパッケージは、例えば米国特許出願ＵＳ２００９／０１１４６７７Ａ１に開示されている。
【００４４】
図６は、図１−４に示すパッケージ１の別の変形例を示す。対応する部分には同一の符号が付されている。図６に示すパッケージでは、流出路の近傍では、フランジ状エッジ５に剥離領域が存在しない。この剥離領域がない部分は、封止ホイルがフランジ状エッジに接着されている領域によって全体的に囲まれている。接着は、折り取りエッジと境界線の間（領域２３）で剥離可能な接着であってもよい。代替的に、領域２１、２２に加えて、領域２３における接着が永久的な接着であってもよい。この場合、パッケージの開封時に、封止ホイルが流出路１２の両側で境界線のところまで破れる。
【００４５】
本発明の範囲は、上述したような本発明に係るパッケージの考えられる実施形態に限定されず、添付の特許請求の範囲の表現によってまず第一に限定される。例えば、本発明に係る容器本体のあらゆる種類の構成は、本発明の枠組み内にあると考えられることに注意する。したがって、パッケージは、上面図で見たときに、楕円形または角のある形状、例えば正方形または長方形であってもよく、本発明に係るパッケージの一部を形成する容器本体の立壁は、円周方向で見たときに、垂直方向で先細になっていてもよい。さらに、本発明に係るパッケージは、小袋（sachet）状のパッケージであってもよい。例えば、この場合、フランジ状エッジは、図面を参照して上述した実施形態のような継ぎ目のないエッジではなく、小袋パッケージの一側のみに設けられたエッジとなる。
【図１】
2014513023.tif 000003
【図２】
2014513023.tif 000004
【図３】
2014513023.tif 000005
【図４】
2014513023.tif 000006
【図５】
2014513023.tif 000007
【図６】
2014513023.tif 000008
【国際調査報告】
2014513023.tif 000009
2014513023.tif 000010
2014513023.tif 000011